(57)【要約】【課題】  排水路の底面あるいは側面に簡易的に設置することが可能であって、簡単な手順にて、確実に排水路の排水を遮断できる低価格な緊急遮断装置を提供する。【解決手段】  第１の接続板１と、蛇腹構造部分２と、第２の接続板３とが、内部に空洞部を形成するように、直列に接続された緊急遮断装置１０であって、排水路の側面、あるいは底面に設置された排水口に、前記第１の接続板が、排水口に固着されて、前記緊急遮断装置が固定され、通常時は、前記蛇腹構造部分が折りたたまれ、第２の接続板から、排水が、前記空洞部に、常時流れて、排水されており、一方、緊急時には、前記第２の接続板、前記蛇腹構造部分が持ち上げられ、前記第２の接続板が、前記排水の水面以上の位置まで、持ち上げられて、第２の接続板から流れ込んでいた排水が遮断される緊急遮断装置とする。【選択図】図１
2016108855.tif 000002
【特許請求の範囲】
【請求項１】
第１の接続板と、蛇腹構造部分と、第２の接続板とが、内部に空洞部を形成するように、直列に接続された緊急遮断装置であって、
排水路の側面、あるいは底面に設置された排水口に、前記第１の接続板が、排水口に固着されて、前記緊急遮断装置が固定され、
通常時は、前記蛇腹構造部分が折りたたまれ、第２の接続板から、排水が、前記第２の接続板の空洞部に、常時排水が流れて、排水されており、
一方、緊急時には、前記第２の接続板、および前記蛇腹構造部分が持ち上げられ、前記第２の接続板が、
前記、緊急時の排水路での排水の水面以上の位置まで、持ち上げられて、第２の接続板から流れ込んでいた排水が遮断されることを特徴とする緊急遮断装置。
【請求項２】
前記第２の接続板は、前記緊急遮断装置の近傍に設置されたガイドレールに沿って、
緊急時に移動され、
前記ガイドレールは、前記排水口の平面部を起点とした、円弧形状、あるいは楕円形状、あるいは直線形状であることを特徴とする請求項１記載の緊急遮断装置。
【請求項３】
コの字形状の板であって、前記コの字形状の、両側面の面内に、斜め方向に、折り目領域が形成されていて、前記コの字形状の板の端部が、排水路に固着されて保持されている緊急遮断装置であって、
通常時は、前記コの字形状の板が、コの字形状の形態を保ち、コの字形状の端部の一部領域が前記排水路に固着されていて、排水を流し、
一方、緊急時には、前記折り目領域に沿って、コの字形状の形態が折りたたまれて、１枚板状となって、排水路の排水口を密閉して、排水が遮断されることを特徴とする緊急遮断装置。
【請求項４】
両端部に第１の中空部と第２の中空部を配し、全体を中空の輪とした吹き流しの形体であって、前記第１の中空部が、排水路の排水口に固定され、前記第２の中空部には、の開口部を絞り込むロープまたはコードが埋め込まれている緊急遮断装置であって、
通常時は、前記他方の端部が、開口部を絞るロープまたはコードは開放されていて、排水が前記吹き流しの内部に流れ、
一方、緊急時には、前記他方の端部が、開口部を絞るロープまたはコードが開放されていて、排水が前記吹き流しの中を流れ、
【発明の詳細な説明】
【技術分野】
【０００１】
本発明は、排水路での排水の流れを、緊急に遮断するための緊急遮断装置に関する。
【背景技術】
【０００２】
従来、排水路の水路を変化させたり、また、水路の水位を調節する排水関連の設備に関しては、各種特許が公開されている。特許文献１には、可撓性を有する構造体について記載されている。前記構造体は、農業用及び工業用水路及び排水路において、水の向きを変えることができる構造体であって、構造は、硬質合成樹脂又は繊維強化樹脂からなる筒状体で、可撓性の蛇腹状部を形成している。前記可撓性の蛇腹状部によって、前記筒状体は、自由に曲げることが可能となって、これによって、水の向きを変えることができる。
【０００３】
特許文献２には、棚田における用水の給排水装置について記載されている。上下方向に伸縮が可能な蛇腹構造を有する筒体を用いて、排水路での水位の調節を行っている。前記蛇腹構造を有する筒体の上側の面に、水位を合わせるように、調節する機能を有している。
【先行技術文献】
【特許文献】
【０００４】
【特許文献１】特開２００４−１５０１０９号公報
【特許文献２】特開２０００−５０７５０号公報
【発明の概要】
【発明が解決しようとする課題】
【０００５】
特許文献１では、可撓性を有する構造体が、排水路の水の向きを変えることができる構造体の機能については記載されているが、排水路の水を緊急遮断する方法については、全く記載がない。
【０００６】
特許文献２では、上下方向に伸縮が可能な蛇腹構造を有する筒体によって、排水路での水位の調節を行うことが記載されているが、排水路の緊急遮断する方法については、全く記載されていない。
【０００７】
ここで、従来の排水路の水路を遮断する装置としては、水路の排水路の途中に、円柱状のボール状の遮断機構部を設けた緊急遮断装置を配置し、前記遮断機構部を回転して、機械的に水路を遮断する装置が一般的であった。しかし、前記緊急遮断装置は、設置するために、おおがかりな工事を必要とし、緊急遮断装置自体も、高価格であるという問題点があった。
【０００８】
本発明の課題は、排水路の底面あるいは側面に簡易的に設置することが可能であって、緊急時に簡単な手順にて、確実に排水路の排水を遮断できる、低価格な緊急遮断装置を提供することである。
【課題を解決するための手段】
【０００９】
本発明の請求項１に係る発明は、第１の接続板と、蛇腹構造部分と、第２の接続板とが、内部に空洞部を形成するように、直列に接続された緊急遮断装置であって、排水路の側面、あるいは底面に設置された排水口に、前記第１の接続板が、排水口に固着されて、前記緊急遮断装置が固定され、通常時は、前記蛇腹構造部分が折りたたまれ、第２の接続板から、排水が、前記空洞部に、常時流れて、排水されており、一方、緊急時には、前記第２の接続板、前記蛇腹構造部分が持ち上げられ、前記第２の接続板が、前記排水の水面以上の位置まで、持ち上げられて、第２の接続板から流れ込んでいた排水が遮断されることを特徴とする緊急遮断装置である。
【００１０】
本発明の請求項２に係る発明は、前記第２の接続板は、前記緊急遮断装置の近傍に設置されたガイドレールに沿って、緊急時に移動され、前記ガイドレールは、前記排水口の平面部を起点とした、円弧形状、あるいは楕円形状、あるいは直線形状であることを特徴とする請求項１記載の緊急遮断装置である。
【００１１】
ここで、緊急時とは、排水中の有機物の濃度が、規定値を超えた時、あるいは排水中の毒物の濃度が、規定値を超えた場合等である。
【００１２】
前記蛇腹構造部分は、材質が、プラスチック、あるいは合成ゴム、天然ゴムであり、波状に折りたたまれて形成されている。
【００１３】
本発明の請求項３に係る発明は、コの字形状の板であって、前記コの字形状の、両側面の面内に、斜め方向に、折り目領域が形成されていて、前記コの字形状の板の端部が、排水路に固着されて保持されている緊急遮断装置であって、通常時は、前記コの字形状の板が、コの字形状の形態を保ち、コの字形状の端部の一部領域が前記排水路に固着されていて、排水を流し、一方、緊急時には、前記折り目領域に沿って、コの字形状の形態が折りたたまれて、１枚板状となって、排水路の排水口を密閉して、排水が遮断されることを特徴とする緊急遮断装置である。
【００１４】
ここで、緊急時とは、排水中の有機物の濃度が、規定値を超えた時、あるいは排水中の毒物の濃度が、規定値を超えた場合等である。
【００１５】
前記コの字形状の板は、材質が、プラスチック、あるいは合成ゴム、天然ゴムであることを特徴とする。
【００１６】
本発明の請求項４に係る発明は、両端部に第１の中空部と第２の中空部を配し、全体を中空の輪とした吹き流しの形体であって、前記第１の中空部が、排水路の排水口に固定され、前記第２の中空部には、の開口部を絞り込むロープまたはコードが埋め込まれている緊急遮断装置であって、通常時は、前記他方の端部が、開口部を絞るロープまたはコードは開放されていて、排水が前記吹き流しの内部に流れ、一方、緊急時には、前記他方の端部が、開口部を絞るロープまたはコードが開放されていて、排水が前記吹き流しの中を流れ、一方、緊急時には、前記開口部に埋め込まれた、ロープまたはコードが絞られて、排水が遮断されることを特徴とする緊急遮断装置である。
【００１７】
ここで、緊急時とは、排水中の有機物の濃度が、規定値を超えた時、あるいは排水中の毒物の濃度が、規定値を超えた場合等である。
【００１８】
前記吹き流しの形体が、材質が、プラスチック、あるいは合成ゴム、天然ゴムであることを特徴とする請求項７記載の緊急遮断装置である。また、前記ロープは、金属線を撚った綱であり、前記コードは、プラスチックを素材とする紐であることを特徴とする。
【発明の効果】
【００１９】
請求項１に係る緊急遮断装置によれば、排水路内にて、緊急遮断装置の蛇腹構造部分を持ち上げることによって、確実に水路を遮断できる緊急遮断装置を提供することができる。
【００２０】
請求項２に係る緊急遮断装置によれば、ガイドレールによって、緊急遮断装置の緊急時の移動を、確実に実施できる緊急遮断装置を提供することができる。
【００２１】
請求項３に係る緊急遮断装置によれば、排水路内にて、緊急遮断装置のコの字形状の板を折りたたみ、持ち上げることにより、確実に水路を遮断できる緊急遮断装置を提供することができる。
【００２２】
請求項４に係る緊急遮断装置によれば、排水路内にて、緊急遮断装置の両端部を中空の輪とした吹き流しの形体の端部を封止することによって、確実に水路を遮断できる緊急遮断装置を提供することができる。
【００２３】
本発明によれば、排水路の底面あるいは側面に簡易的に設置することが可能であって、緊急時に、簡単な手順にて、確実に排水路の排水を遮断できる低価格な緊急遮断装置を提供することができる。
【図面の簡単な説明】
【００２４】
【図１】実施例１の緊急遮断装置の図。図１（ａ）は、通常の状態の図、図１（ｂ）は、緊急時であって、緊急遮断装置が作動した状態の図である。
【図２】実施例１の緊急遮断装置にて、ガイドレールに沿って、収納時から、第２の接続板が移動した状態を示した図。
【図３】実施例２の緊急遮断装置の図。図３（ａ）は、通常の状態の図、図３（ｂ）は、緊急時であって、緊急遮断装置が作動した状態の図である。
【図４】実施例３の緊急遮断装置の図。図４（ａ）は、通常の状態の図、図４（ｂ）は、緊急時であって、緊急遮断装置が作動した状態の図である。
【発明を実施するための形態】
【００２５】
本発明の実施の形態による緊急遮断装置は、第１の接続板と、蛇腹構造部分と、第２の接続板とが、内部に空洞部を形成するように、直列に接続された緊急遮断装置であって、
排水路の側面、あるいは底面に設置された排水口に、前記第１の接続板が、排水口に固着されて、前記緊急遮断装置が固定され、通常時は、前記蛇腹構造部分が折りたたまれ、第２の接続板から、排水が、前記空洞部に、常時流れて、排水されており、一方、緊急時には、前記第２の接続板、前記蛇腹構造部分が持ち上げられ、前記第２の接続板が、前記排水の水面以上の位置まで、持ち上げられて、第２の接続板から流れ込んでいた排水が遮断される緊急遮断装置である。
【００２６】
ここで、緊急時とは、主として、排水中の有機物の濃度が、規定値を超えた時、あるいは
排水中の毒物の濃度が、規定値を超えた場合等である
【００２７】
前記蛇腹構造部分は、材質が、プラスチック、あるいは合成ゴム、天然ゴムであり、波状に折りたたまれて形成されている。
【００２８】
前記第２の接続板は、前記緊急遮断装置の近傍に設置されたガイドレールに沿って、
緊急時に移動される。ここで、前記ガイドレールは、前記排水口の平面部を起点とした、円弧形状、あるいは楕円形状、あるいは直線形状であることを特徴とする。
【００２９】
本発明の実施の形態による緊急遮断装置は、コの字形状の板であって、前記コの字形状の、両側面の面内に、斜め方向に、折り目領域が形成されていて、前記コの字形状の板の端部が、排水路に固着されて保持されている緊急遮断装置であって、通常時は、前記コの字形状の板が、コの字形状の形態を保ち、コの字形状の端部の一部領域が前記排水路に固着されていて、排水を流し、一方、緊急時には、前記折り目領域に沿って、コの字形状の形態が折りたたまれて、１枚板状となって、排水路の排水口を密閉して、排水が遮断される緊急遮断装置である。
【００３０】
ここで、前記コの字形状の板は、材質が、プラスチック、あるいは合成ゴム、天然ゴムが使用される。
【００３１】
本発明の実施の形態による緊急遮断装置は両端部に第１の中空部と第２の中空部を配し、全体を中空の輪とした吹き流しの形体であって、前記第１の中空部が、排水路の排水口に固定され、前記第２の中空部には、の開口部を絞り込むロープまたはコードが埋め込まれている緊急遮断装置であって、通常時は、前記他方の端部が、開口部を絞るロープまたはコードは開放されていて、排水が前記吹き流しの内部に流れ、一方、緊急時には、前記他方の端部が、開口部を絞るロープまたはコードが開放されていて、排水が前記吹き流しの中を流れ、一方、緊急時には、前記開口部に埋め込まれた、ロープまたはコードが絞られて、排水が遮断されることを特徴とする緊急遮断装置である。
【００３２】
ここで、前記吹き流しの形体は、材質が、プラスチック、あるいは合成ゴム、天然ゴムが使用される。また、前記ロープは、金属線を撚った綱であり、前記コードは、プラスチックを素材とする紐が使用される。
【００３３】
（実施例１）
図１は、実施例１の蛇腹方式を採用した、緊急遮断装置の図である。図１（ａ）は、通常時の排水路の状態であって、緊急遮断装置１０が、待機している状態の図、図１（ｂ）は、緊急時の排水路の状態であって、緊急遮断装置１０が緊急作動した状態の図である。
【００３４】
図１（ａ）において、緊急遮断装置１０は、第１の接続板１と蛇腹構造部分２と第２の接続板３とが内部に空洞部を形成するように、直列に接続されている。ここで、前記第２の接続板の周辺には、第２の接続板取り付け部３１が配置されており、排水路１００の側面の分岐した排水路２００の、注入口に、前記第２の接続板取り付け部３１によって
緊急遮断装置１０が固定されている。この場合、前記緊急遮断装置１０の蛇腹部２は、短縮されており、図１（ａ）に示す外観となっている。排水路１００の排水４００は、分岐した排水路２００に常時、流れている状態である。
【００３５】
図１（ｂ）は、緊急時の排水路の状態であって、緊急遮断装置１０が緊急作動した状態の図である。緊急遮断装置１０の第１の接続板１が、排水路の水面より、上側に持ち上げられ（蛇腹部２が伸ばされている）、排水路１００の排水４００が、遮断されている。
【００３６】
図２は、実施例１の緊急遮断装置にて、ガイドレールに沿って、収納時から、第２の接続板が移動した状態を示した図である。緊急時には、第２の接続板３は、ガイドレールに沿って、上側に移動する。
前記ガイドレール５００は、前記排水口の平面部を起点とした、円弧形状となっているが、これに限られない。
【００３７】
（実施例２）
図３は、実施例２の緊急遮断装置の図である。図３（ａ）は、通常の状態の図である。図３（ｂ）は、通常時の排水路の状態であって、緊急遮断装置２０が、待機している状態の図、図２（ｂ）は、緊急時の排水路の状態であって、緊急遮断装置２０が緊急作動した状態の図である。
【００３８】
図３（ａ）において、緊急遮断装置２０は、コの字形状の板４であって、前記コの字形状の、両側面の面内に、斜め方向に、折り目領域６が形成されていて、前記コの字形状の板４の端部が、板固定部５によって、排水路２００に固着されて保持されている。
通常時は、前記コの字形状の板４が、コの字形状の形態を保ち、コの字形状の端部の一部領域が前記排水路に固着されていて、排水４００を流しており、一方、緊急時には、前記折り目領域６に沿って、コの字形状の形態が折りたたまれて、１枚板状となって、排水路の排水口を密閉して、排水が遮断されることとなる。
【００３９】
（実施例３）
図４は、実施例４の緊急遮断装置の図である。図４（ａ）は、通常時の排水路の状態であって、緊急遮断装置４０が、待機している状態の図、図４（ｂ）は、緊急時の排水路の状態であって、緊急遮断装置４０が作動した状態の図である。
【００４０】
図４（ａ）において、緊急遮断装置４０は、分岐した排水路２００に配置されており、両端部を中空の輪とした吹き流し部分７０を含む形体であって、第１の中空部８が、分岐した排水路の排水口に固定され、第２の中空部９には、端部の開口部を絞り込む絞り込み用のロープ９１が埋め込まれており、前記ワイヤは延長されて絞り込み用のロープの端部９２として、分岐した排水路の排水口の外側まで、引き出されている。通常時は、前記他方の端部が、開口部を絞るロープ９１は開放されていて、排水が前記吹き流し部分７０に流れる。
【００４１】
一方、緊急時には、図４（ｂ）に示すごとく、開口部を絞る、絞込み用ロープ９１が、絞り込み用のロープの端部９２が引っ張られることによる、吹き流し部分７０の全体が、分岐した排水路の排水口の外部、上部まで、移動して、排水が遮断される。
【産業上の利用可能性】
【００４２】
本発明の緊急遮断装置によれば、排水路の底面あるいは側面に簡易的に設置することが可能であって、簡単な手順にて、確実に排水路の排水を遮断できる低価格な緊急遮断装置を提供することができ、排水路の安全性の向上に寄与する。
【符号の説明】
【００４３】
１  第１の接続板
２  蛇腹構造部分
３  第２の接続板
３１  第２の接続板取り付け部
４    板部分
５    板固定部
６    板の折り目ライン
７、７０    吹き流し部分
８    第１の中空部
９    第２の中空部
９１  絞り込み用のロープ
９２  絞り込み用のロープの端部
１０、２０、４０    緊急遮断装置
１００    Ｕ字形状の排水路
２００    分岐した排水路
３００、４００  排水
５００    ガイドレール
【図１】
2016108855.tif 000003
【図２】
2016108855.tif 000004
【図３】
2016108855.tif 000005
【図４】
2016108855.tif 000006